(57)【要約】【課題】  移動局がＳＩＭやＵＳＩＭなどの記憶媒体を複数装着可能な移動体通信システムにおいて、２つ目以降の記憶媒体に関する移動体通信網側の処理負荷や通信シーケンスを削減する。【解決手段】    移動局１が、複数のＵＳＩＭのうちの代表ＵＳＩＭについての位置登録をＭＳＣ／ＶＬＲ５ａに要求するステップＳ３０１と、移動局１が、位置登録の完了後に、複数のＵＳＩＭについてのグループ登録をＭＳＣ／ＶＬＲ５ａに要求するステップＳ３０３と、ＭＳＣ／ＶＬＲ５ａが、グループ登録の要求を移動局１から受け付けて、複数のＵＳＩＭをグループ登録するステップＳ３０４と、ＭＳＣ／ＶＬＲ５ａが、ステップＳ３０３でグループ登録された複数のＵＳＩＭのいずれかについての着信があった場合、代表ＵＳＩＭに関する情報を用いて、移動局１に対する着信制御を実行するステップＳ３０６とを備える。【選択図】    図７
2008131469.tif 000002
【特許請求の範囲】
【請求項１】
加入者識別子を含む情報を記憶する記憶媒体を複数装着可能な移動局と、前記移動局が実行する通信を管理する管理装置とを備える移動体通信システムであって、
前記移動局は、
複数の記憶媒体のうちの代表記憶媒体についての位置登録を前記管理装置に要求する第１要求部と、
前記位置登録の完了後に、前記複数の記憶媒体についてのグループ登録を前記管理装置に要求する第２要求部とを備え、
前記管理装置は、
前記グループ登録の要求を前記移動局から受け付けて、前記複数の記憶媒体をグループ登録するグループ登録部と、
前記グループ登録部によってグループ登録された前記複数の記憶媒体のいずれかについての着信があった場合、前記代表記憶媒体に関する情報を用いて、前記移動局に対する着信制御を実行する制御部と
を備えることを特徴とする移動体通信システム。
【請求項２】
前記制御部は、前記グループ化された前記複数の記憶媒体のいずれかについての着信により前記移動局が通信中であり、かつ、他の記憶媒体についての新たな着信があった場合には、前記新たな着信の呼種別に応じて、前記新たな着信を許可するか否か判定することを特徴とする請求項１に記載の移動体通信システム。
【請求項３】
加入者識別子を含む情報を記憶する記憶媒体を複数装着可能な移動局と、前記移動局が実行する通信を管理する管理装置とを備える移動体通信システムにおける移動局であって、
複数の記憶媒体のうちの代表記憶媒体についての位置登録を前記管理装置に要求する第１要求部と、
前記位置登録の完了後に、前記複数の記憶媒体についてのグループ登録を前記管理装置に要求する第２要求部と
を備えることを特徴とする移動局。
【請求項４】
加入者識別子を含む情報を記憶する記憶媒体を複数装着可能な移動局と、前記移動局が実行する通信を管理する管理装置とを備える移動体通信システムにおける管理装置であって、
複数の記憶媒体についてのグループ登録の要求を前記移動局から受け付けて、前記複数の記憶媒体をグループ登録するグループ登録部と、
前記グループ登録部によってグループ登録された前記複数の記憶媒体のいずれかについての着信があった場合、前記複数の記憶媒体のうちの代表記憶媒体に関する情報を用いて、前記移動局に対する着信制御を実行する制御部と
を備えることを特徴とする管理装置。
【請求項５】
加入者識別子を含む情報を記憶する記憶媒体を複数装着可能な移動局と、前記移動局が実行する通信を管理する管理装置とを備える移動体通信システムにおける通信方法であって、
前記移動局が、複数の記憶媒体のうちの代表記憶媒体についての位置登録を前記管理装置に要求するステップと、
前記移動局が、前記位置登録の完了後に、前記複数の記憶媒体についてのグループ登録を前記管理装置に要求するステップと、
前記管理装置が、前記グループ登録の要求を前記移動局から受け付けて、前記複数の記憶媒体をグループ登録するステップと、
前記管理装置が、前記グループ登録するステップでグループ登録された前記複数の記憶媒体のいずれかについての着信があった場合、前記代表記憶媒体に関する情報を用いて、前記移動局に対する着信制御を実行するステップと
を備えることを特徴とする通信方法。
【発明の詳細な説明】
【技術分野】
【０００１】
本発明は、加入者識別子を含む情報を記憶する記憶媒体を複数装着可能な移動局と、移動局が実行する通信を管理する管理装置とを備える移動体通信システム、当該移動体通信システムにおける管理装置、移動局及び通信方法に関する。
【背景技術】
【０００２】
従来、ＧＳＭ規格では、加入者識別モジュール（ＳＩＭ；Subscriber Identity Module）と呼ばれるＩＣカードが必須となっている。ＳＩＭには、加入者識別子（ＩＭＳＩ；International Mobile Subscriber Identity)、電話番号、及び発着信に必要な認証アルゴリズムなどの加入者情報が記憶されている。
【０００３】
ＩＭＴ−２０００の規格では、汎用加入者識別モジュール（ＵＳＩＭ;Universal Subscriber Identity Module）が標準化されている。ＵＳＩＭは、ＳＩＭと同様の加入者情報に加えて、電話帳などの情報を記憶可能な構成を有している。
【０００４】
移動局が移動体通信網と通信時、すなわち発着信時や位置登録時などには、ＳＩＭ・ＵＳＩＭに記憶されている加入者情報が必要である。つまり、ＳＩＭ・ＵＳＩＭの記憶媒体を移動局（携帯電話機）に装着することで、移動局（携帯電話機）は移動体通信網との通信が可能となる。
【０００５】
一方で、１つの移動局で複数の電話番号を使用可能とするため、１つの移動局に複数のＳＩＭを装着する手法が提案されている（例えば、特許文献１参照）。特許文献１では、移動体通信網は、２つ目以降のＳＩＭの位置情報として、１つ目のＳＩＭの位置情報を参照する。これにより、２つ目以降のＳＩＭに対する位置登録の通信シーケンスを不要としている。
【特許文献１】特許第３６１２０３８号公報
【発明の開示】
【発明が解決しようとする課題】
【０００６】
上述した特許文献１では、２つ目以降のＳＩＭの位置登録時に、移動局が位置登録シーケンスをＳＩＭ毎に実行している。したがって、装着するＳＩＭの数が増加するほど、位置登録シーケンスの実行回数が増加する。この結果、移動体通信網側の処理負荷が増加するとともに、無線リソースを必要以上に消費してしまうという問題があった。
【０００７】
また、上述した特許文献１では、複数のＳＩＭのうち、１つのＳＩＭの位置情報を用いて２つ目以降のＳＩＭの位置情報を一括して管理している。しかし、発着信についてはＳＩＭ毎に管理しているので、移動体通信網側の処理負荷が増加するというという問題があった。
【０００８】
上記問題点に鑑み、本発明は、移動局がＳＩＭやＵＳＩＭなどの記憶媒体を複数装着可能な移動体通信システムにおいて、２つ目以降の記憶媒体に関する移動体通信網側の処理負荷や通信シーケンスを削減可能な移動体通信システム、管理装置、移動局、及び通信方法を提供することを目的とする。
【課題を解決するための手段】
【０００９】
上記目的を達成するために、本発明の第１の特徴は、加入者識別子（ＩＭＳＩ）を含む情報（加入者情報）を記憶する記憶媒体（ＵＳＩＭ１０１ａ〜１０１ｃ）を複数装着可能な移動局（移動局１）と、前記移動局が実行する通信を管理する管理装置（ＭＳＣ／ＶＬＲ５ａ、ＳＧＳＮ８ａ、又はＮＭＳＣＰ／ＨＬＲ６）とを備える移動体通信システムであって、前記移動局は、複数の記憶媒体（ＵＳＩＭ１０１ａ〜１０１ｃ）のうちの代表記憶媒体（例えば、ＵＳＩＭ１０１ａ）についての位置登録を前記管理装置に要求する第１要求部（位置登録要求部１７１）と、前記位置登録の完了後に、前記複数の記憶媒体についてのグループ登録を前記管理装置に要求する第２要求部（グループ登録要求部１７２）とを備え、前記管理装置は、前記グループ登録の要求を前記移動局から受け付けて、前記複数の記憶媒体をグループ登録するグループ登録部（グループ登録部５４）と、前記グループ登録部によってグループ登録された前記複数の記憶媒体のいずれかについての着信があった場合、前記代表記憶媒体に関する情報を用いて、前記移動局に対する着信制御を実行する制御部（接続制御部５５）とを備えることを要旨とする。
【００１０】
本発明の第２の特徴は、本発明の第１の特徴に係り、前記制御部は、前記グループ化された前記複数の記憶媒体のいずれかについての着信により前記移動局が通信中であり、かつ、他の記憶媒体についての新たな着信があった場合には、前記新たな着信の呼種別に応じて、前記新たな着信を許可するか否か判定することを要旨とする。ここで「呼種別」とは、例えば、回線交換呼であるか、あるいはパケット交換呼であるかを意味する。
【００１１】
本発明の第３の特徴は、加入者識別子を含む情報を記憶する記憶媒体を複数装着可能な移動局と、前記移動局が実行する通信を管理する管理装置とを備える移動体通信システムにおける移動局であって、複数の記憶媒体のうちの代表記憶媒体についての位置登録を前記管理装置に要求する第１要求部と、前記位置登録の完了後に、前記複数の記憶媒体についてのグループ登録を前記管理装置に要求する第２要求部とを備えることを要旨とする。
【００１２】
本発明の第４の特徴は、加入者識別子を含む情報を記憶する記憶媒体を複数装着可能な移動局と、前記移動局が実行する通信を管理する管理装置とを備える移動体通信システムにおける管理装置であって、複数の記憶媒体についてのグループ登録の要求を前記移動局から受け付けて、前記複数の記憶媒体をグループ登録するグループ登録部と、前記グループ登録部によってグループ登録された前記複数の記憶媒体のいずれかについての着信があった場合、前記複数の記憶媒体のうちの代表記憶媒体に関する情報を用いて、前記移動局に対する着信制御を実行する制御部とを備えることを要旨とする。
【００１３】
本発明の第５の特徴は、加入者識別子を含む情報を記憶する記憶媒体を複数装着可能な移動局と、前記移動局が実行する通信を管理する管理装置とを備える移動体通信システムにおける通信方法であって、前記移動局が、複数の記憶媒体のうちの代表記憶媒体についての位置登録を前記管理装置に要求するステップと、前記移動局が、前記位置登録の完了後に、前記複数の記憶媒体についてのグループ登録を前記管理装置に要求するステップと、前記管理装置が、前記グループ登録の要求を前記移動局から受け付けて、前記複数の記憶媒体をグループ登録するステップと、前記管理装置が、前記グループ登録するステップでグループ登録された前記複数の記憶媒体のいずれかについての着信があった場合、前記代表記憶媒体に関する情報を用いて、前記移動局に対する着信制御を実行するステップとを備えることを要旨とする。
【発明の効果】
【００１４】
本発明によれば、移動局がＳＩＭやＵＳＩＭなどの記憶媒体を複数装着可能な移動体通信システムにおいて、２つ目以降の記憶媒体に関する移動体通信網側の処理負荷や通信シーケンスを削減可能な移動体通信システム、管理装置、移動局、及び通信方法を提供できる。
【発明を実施するための最良の形態】
【００１５】
次に、図面を参照して、本発明の実施形態を説明する。以下の実施形態における図面の記載において、同一又は類似の部分には同一又は類似の符号を付している。
【００１６】
[第１実施形態]
（移動体通信システムの概略構成）
図１は、本実施形態に係る移動体通信システムの全体概略構成図である。本移動体通信システムは、Ｗ−ＣＤＭＡ方式を用いた移動体通信システムである。
【００１７】
図１に示すように、移動体通信システムは、移動局１及び２と、基地局３ａ〜３ｄと、無線回線制御装置（以下、「ＲＮＣ」という）４ａ及び４ｂと、交換装置／移動先位置登録装置（以下、「ＭＳＣ／ＶＬＲ」という）５ａ及び５ｂと、移動通信サービス制御装置（以下、「ＮＭＳＣＰ／ＨＬＲ」という）６とを備える。基地局３ａ〜３ｄと、ＲＮＣ４ａ及び４ｂと、ＭＳＣ／ＶＬＲ５ａ及び５ｂと、ＮＭＳＣＰ／ＨＬＲ６とは、移動体通信網７Ａを構成している。
【００１８】
移動局１は、複数のＵＳＩＭ１０１ａ〜１０１ｃ（図２（ａ）参照）を装着可能な携帯電話機である。移動局１は、基地局３ａに接続して、無線通信を実行する。移動局２は、ＵＳＩＭを１つのみ装着可能な携帯電話機である。移動局２は、基地局３ｄに接続して、無線通信を実行する。
【００１９】
基地局３ａは、通信可能なエリアであるセルＣ１を構成し、セルＣ１内の移動局（例えば移動局１）と通信する。同様に、基地局３ｂは、セルＣ２を構成し、セルＣ１内の移動局と通信する。基地局３ｃは、セルＣ３を構成し、セルＣ３内の移動局と通信する。基地局３ｄは、セルＣ４を構成し、セルＣ４内の移動局（例えば移動局２）と通信する。
【００２０】
ＲＮＣ４ａは、基地局３ａ及び３ｂの上位装置として機能し、基地局３ａ及び３ｂが使用する無線リソースの管理等を行う。ＲＮＣ４ｂは、基地局３ｃ及び３ｄの上位装置として機能し、基地局３ｃ及び３ｄが使用する無線リソースの管理等を行う。
【００２１】
ＭＳＣ／ＶＬＲ５ａ及び５ｂは、移動体通信網７Ａにおける加入者交換機としての機能と、加入者情報のデータベースとしての機能とを有する。ＭＳＣ／ＶＬＲ５ａは、位置登録エリアＡ１内の移動局（例えば移動局１）の加入者情報を記憶する。ＭＳＣ／ＶＬＲ５ｂは、位置登録エリアＡ２内の移動局（例えば移動局２）の加入者情報を記憶する。
【００２２】
ＮＭＳＣＰ／ＨＬＲ６は、移動通信サービスを制御する機能と、各移動局のサービス契約に関する加入者情報を登録する原本となるデータベースとしての機能とを有する。
【００２３】
（移動局の構成）
次に、図２を参照して、移動局１の構成について説明する。
【００２４】
（１）移動局の概略構成：
図２（ａ）は、移動局１の構成を示す機能ブロック図である。図２（ａ）に示すように、移動局１は、無線通信部１１と、操作部１２と、ＵＳＩＭ Ｉ／Ｆ１３ａ〜１３ｃと、マイク１４と、スピーカ１５と、表示部１６と、制御部１７と、記憶部１８とを備える。
【００２５】
無線通信部１１は、ＣＤＭＡに従った無線信号を、接続先の基地局（例えば基地局３ａ）と送受信する。無線通信部１１は、無線信号とベースバンド信号との変換処理を実行し、制御部１７との間でベースバンド信号を入出力する。
【００２６】
操作部１２は、テンキーやファンクションキーなどによって構成され、ユーザからの操作を受け付ける。
【００２７】
ＵＳＩＭ Ｉ／Ｆ１３ａには、ＵＳＩＭ１０１ａが装着される。ＵＳＩＭ Ｉ／Ｆ１３ａは、ＵＳＩＭ１０１ａに記憶されているＩＭＳＩ、電話番号、及び発着信に必要な認証アルゴリズムなどの加入者情報を読み出し、読み出した加入者情報を制御部１７に入力する。
【００２８】
ＵＳＩＭ Ｉ／Ｆ１３ｂには、ＵＳＩＭ１０１ｂが装着される。ＵＳＩＭ Ｉ／Ｆ１３ｂは、ＵＳＩＭ１０１ｂに記憶されている加入者情報を読み出し、読み出した加入者情報を制御部１７に入力する。
【００２９】
ＵＳＩＭ Ｉ／Ｆ１３ｃには、ＵＳＩＭ１０１ｃが装着される。ＵＳＩＭ Ｉ／Ｆ１３ｃは、ＵＳＩＭ１０１ｃに記憶されている加入者情報を読み出し、読み出した加入者情報を制御部１７に入力する。
【００３０】
また、ＵＳＩＭ Ｉ／Ｆ１３ａ〜１３ｃは、制御部１７から電話帳情報などの書き込み指示があった場合には、ＵＳＩＭ１０１ａ〜１０１ｃに対する書き込み動作を実行する。
【００３１】
なお、ＵＳＩＭ１０１ａ〜１０１ｃのいずれか１つは、ＵＳＩＭ１０１ａ〜１０１ｃを代表する代表ＵＳＩＭとして使用される。代表ＵＳＩＭの選択は、操作部１２に対するユーザ操作によって行われる。あるいは、ＵＳＩＭ Ｉ／Ｆ１３ａ〜１３ｃのいずれか１つを、代表ＵＳＩＭ用のインターフェースとして予め設定しておいてもよい。以下では、ＵＳＩＭ１０１ａを代表ＵＳＩＭとして使用する場合について説明する。
【００３２】
マイク１４は、音声を集音し、集音された音声に基づいて音声信号を制御部１７に入力する。
【００３３】
スピーカ１５は、制御部１７から取得した音声信号に基づいて音声を出力する。
【００３４】
表示部１６は、無線通信部１１及び制御部１７を介して受信した画像コンテンツ、及びユーザからの操作内容（入力電話番号やアドレスなど）を表示する。
【００３５】
制御部１７は、移動局１が具備する各種機能を制御する。制御部１７のさらに詳細な機能ブロックについては後述する。
【００３６】
記憶部１８は、移動局１における制御などに用いられる各種情報を記憶する。
【００３７】
（２）制御部の詳細構成：
図２（ｂ）は、制御部１７の詳細構成を示す機能ブロック図である。図２（ｂ）に示すように、制御部１７は、位置登録要求部１７１と、グループ登録要求部１７２とを備える。
【００３８】
位置登録要求部１７１は、移動体通信網７Ａに対して位置登録要求を送信する。具体的には、位置登録要求部１７１は、移動局１の電源投入時、又はＵＳＩＭ１０１ａ〜１０１ｃの装着時において、移動体通信網７Ａに対して位置登録要求を送信する。送信される位置登録要求には、代表ＵＳＩＭ（ＵＳＩＭ１０１ａ）のＩＭＳＩが含まれている。
【００３９】
移動体通信網７Ａに対する位置登録が完了すると、移動局１は、移動体通信網７ＡからＴＭＳＩを受信する。ＴＭＳＩは、移動局１が位置する位置登録エリアＡ１内で有効な一時的な加入者識別子である。なお、ＴＭＳＩを受信すると、移動局１は、その後のサービス要求時において、無線区間での移動局１の識別用にＴＭＳＩを使用する。
【００４０】
位置登録の完了後において、グループ登録要求部１７２は、移動体通信網７Ａに対して、ＵＳＩＭ１０１ａ〜１０１ｃのグループ登録を要求する。具体的には、グループ登録要求部１７２は、代表ＵＳＩＭ（ＵＳＩＭ１０１ａ）が記憶する加入者情報を用いた無線通信手順によって、ＭＳＣ／ＶＬＲ５ａにグループ登録要求を送信する。
【００４１】
また、位置登録要求部１７１は、基地局３ａ〜３ｄが送信する報知情報に基づき、位置登録エリアの変更を検知する。位置登録エリアの変更を検知すると、位置登録要求部１７１は、移動体通信網７Ａに対して位置登録要求を送信する。
【００４２】
（移動体通信網の構成）
次に、図３及び図４を参照して、移動体通信網７Ａの構成について説明する。
【００４３】
（１）ＮＭＳＣＰ／ＨＬＲの構成：
図３は、ＮＭＳＣＰ／ＨＬＲ６の構成を示す機能ブロック図である。図３に示すように、ＮＭＳＣＰ／ＨＬＲ６は、通信Ｉ／Ｆ６１と、加入者情報記憶部６２と、加入者情報管理部６３とを備える。
【００４４】
通信Ｉ／Ｆ６１は、ＭＳＣ／ＶＬＲ５ａ及び５ｂとのインターフェースとして機能する。
【００４５】
加入者情報記憶部６２は、サービス契約に関する加入者情報を記憶する。加入者情報は、ＩＭＳＩと、電話番号と、移動局が位置する位置登録エリアを管理するＶＬＲの識別情報とを含んでいる。
【００４６】
加入者情報管理部６３は、ＭＳＣ／ＶＬＲ５ａ及び５ｂと通信して、加入者情報記憶部６２に記憶されている加入者情報を管理する。
【００４７】
（２）ＭＳＣ／ＶＬＲの構成：
図４は、ＭＳＣ／ＶＬＲ５ａの構成を示す機能ブロック図である。図４に示すように、ＭＳＣ／ＶＬＲ５ａは、通信Ｉ／Ｆ５１と、加入者情報記憶部５２と、加入者情報管理部５３と、グループ登録部５４と、接続制御部５５とを備える。
【００４８】
通信Ｉ／Ｆ５１は、ＮＭＳＣＰ／ＨＬＲ６及びＲＮＣ４ａとのインターフェースとして機能する。
【００４９】
加入者情報記憶部５２は、位置登録エリアＡ１内に位置する移動局（例えば移動局１）の加入者情報を記憶する。加入者情報は、電話番号と、ＩＭＳＩと、ＴＭＳＩとを含んでいる。
【００５０】
加入者情報管理部５３は、移動局１からの位置登録要求や、ＮＭＳＣＰ／ＨＬＲ６からの指示に応じて、加入者情報記憶部５２に記憶されている加入者情報を管理する。
【００５１】
グループ登録部５４は、移動局１からのグループ登録要求に応じて、ＵＳＩＭ１０１ａ〜１０１ｃをグループ登録する。グループ登録部５４は、ＵＳＩＭ１０１ａ〜１０１ｃを代表するＵＳＩＭとして、ＵＳＩＭ１０１ａを登録する。
【００５２】
接続制御部５５は、移動局１に対する呼制御、すなわち発信制御及び着信制御を実行する。例えば、接続制御部５５は、グループ登録されたＵＳＩＭ１０１ａ〜１０１ｃに対して着信があった場合、移動局１がいずれかの電話番号で通信中か否かを判定し、判定結果に応じて着信に対する着信制御を実行する。
【００５３】
（移動体通信システムの動作）
次に、図５〜図７を参照して、本実施形態に係る移動体通信システムの動作について説明する。
【００５４】
（１）移動局の動作概要：
図５は、移動局１の動作概要を示すフローチャートである。ここでは、移動局１にＵＳＩＭ１０１ａ〜１０１ｃを装着した直後の動作を説明する。
【００５５】
ステップＳ１０１において、移動局１は、ＵＳＩＭ１０１ａ〜１０１ｃから、代表ＵＳＩＭ（ここではＵＳＩＭ１０１ａ）を選択する。
【００５６】
ステップＳ１０２において、移動局１は、代表ＵＳＩＭ（ＵＳＩＭ１０１ａ）に記憶されている加入者情報を用いて、位置登録要求を移動体通信網７Ａに送信する。具体的には、移動局１は、基地局３ａから得られる位置登録エリアの識別情報を、ＩＭＳＩを用いてＭＳＣ／ＶＬＲ５ａに送信する。この結果、ＭＳＣ／ＶＬＲ５ａから移動局１にＴＭＳＩが割り当てられ、移動局１にＴＭＳＩが記憶される。
【００５７】
ステップＳ１０３において、移動局１は、代表ＵＳＩＭ（ＵＳＩＭ１０１ａ）に記憶されている加入者情報を使用した無線通信手順で、ＵＳＩＭ１０１ａ〜１０１ｃに記憶されている加入者情報のグループ登録要求を、ステップＳ１０２で取得したＴＭＳＩを用いてＭＳＣ／ＶＬＲ５ａに送信する。
【００５８】
ステップＳ１０４において、移動局１は、代表ＵＳＩＭ（ＵＳＩＭ１０１ａ）に記憶されている加入者情報と、ステップＳ１０２で取得したＴＭＳＩに基づいて、位置登録処理及び呼処理を実行する。
【００５９】
（２）移動体通信網の動作概要：
図６は、移動体通信網７Ａ（ＭＳＣ／ＶＬＲ５ａ及びＮＭＳＣＰ／ＨＬＲ６）の動作概要を示すフローチャートである。
【００６０】
ステップＳ２０１において、ＭＳＣ／ＶＬＲ５ａは、移動局１から位置登録要求を受信し、移動局１（ＵＳＩＭ１０１ａ）の位置登録を実行する。ＭＳＣ／ＶＬＲ５ａは、移動局１（ＵＳＩＭ１０１ａ）の位置登録をＮＭＳＣＰ／ＨＬＲ６に要求する。この結果、ＮＭＳＣＰ／ＨＬＲ６は、移動局１の位置情報として、ＭＳＣ／ＶＬＲ５ａの識別情報を記憶する。ＭＳＣ／ＶＬＲ５ａは、ＮＭＳＣＰ／ＨＬＲ６から移動局１（ＵＳＩＭ１０１ａ）の加入者情報を受信し、受信した加入者情報を記憶する。
【００６１】
ステップＳ２０２において、ＭＳＣ／ＶＬＲ５ａは、移動局１からＵＳＩＭ１０１ａ〜１０１ｃのグループ登録要求を受信し、ＵＳＩＭ１０１ａ〜１０１ｃのグループ登録を実行する。具体的には、ＭＳＣ／ＶＬＲ５ａは、ＵＳＩＭ１０１ａをグループの代表として登録し、ＵＳＩＭ１０１ａの情報にＵＳＩＭ１０１ｂ及び１０１ｃの情報を関連付けて記憶する。
【００６２】
ステップＳ２０３において、ＭＳＣ／ＶＬＲ５ａは、代表ＵＳＩＭ（ＵＳＩＭ１０１ａ）に対する移動管理、呼処理を実行する。
【００６３】
（３）移動局１及び移動体通信網７Ａの動作シーケンス：
図７は、移動局１及び移動体通信網７Ａの動作シーケンスを示すシーケンス図である。ここでは、移動局２から移動局１に対して発呼を行う場合の動作について説明する。
【００６４】
ステップＳ３０１において、移動局１は、移動体通信網７Ａ（ＭＳＣ／ＶＬＲ５ａ）に位置登録要求を送信する。位置登録要求には、ＵＳＩＭ１０１ａのＩＭＳＩ（ＩＤ１）が含まれている。
【００６５】
ステップＳ３０２において、移動体通信網７Ａ（ＭＳＣ／ＶＬＲ５ａ）は、移動局１（ＵＳＩＭ１０１ａ）の位置登録を実行する。
【００６６】
ステップＳ３０３において、移動局１は、移動体通信網７Ａ（ＭＳＣ／ＶＬＲ５ａ）にＵＳＩＭ１０１ａ〜１０１ｃのグループ登録要求を送信する。グループ登録要求には、ＵＳＩＭ１０１ａのＩＭＳＩ（ＩＤ１）又はＵＳＩＭ１０１ａに割り当てられたＴＭＳＩと、ＵＳＩＭ１０１ｂ及びＵＳＩＭ１０１ｃのＩＭＳＩ（ＩＤ２，ＩＤ３）が含まれている。
【００６７】
ステップＳ３０４において、移動体通信網７Ａ（ＭＳＣ／ＶＬＲ５ａ）は、ＵＳＩＭ１０１ａ〜１０１ｃに対して、上述したグループ登録を実行する。
【００６８】
ステップＳ３０５において、移動局２は、ＵＳＩＭ１０１ｂについての接続要求（回線交換呼）を移動体通信網７Ａ（ＭＳＣ／ＶＬＲ５ｂ）に送信する。例えば、接続要求には、ＵＳＩＭ１０１ｂに対応する電話番号が含まれている。ＭＳＣ／ＶＬＲ５ｂは、ＮＭＳＣＰ／ＨＬＲ６に対して移動局１の位置する位置登録エリア（ＶＬＲ識別情報）を問い合せた後、接続要求（回線交換呼）をＭＳＣ／ＶＬＲ５ａに送信する。
【００６９】
ステップＳ３０６において、ＭＳＣ／ＶＬＲ５ａは、ＵＳＩＭ１０１ｂについての接続要求を、代表ＵＳＩＭ（ＵＳＩＭ１０１ａ）についての接続要求に変換する。
【００７０】
ステップＳ３０７において、移動体通信網７Ａ（ＭＳＣ／ＶＬＲ５ａ）は、代表ＵＳＩＭ（ＵＳＩＭ１０１ａ）に対して接続要求を送信する。
【００７１】
ステップＳ３０８において、移動局１と移動局２との間で、通信（通話）を開始する。
【００７２】
（作用・効果）
本実施形態によれば、移動局１は、ＵＳＩＭ１０１ａ〜１０１ｃのうちの代表ＵＳＩＭ（ＵＳＩＭ１０１ａ）についての位置登録をＭＳＣ／ＶＬＲ５ａに要求する。位置登録の完了後に、移動局１は、ＵＳＩＭ１０１ａ〜１０１ｃについてのグループ登録をＭＳＣ／ＶＬＲ５ａに要求する。
【００７３】
したがって、移動局１は、ＵＳＩＭ１０１ａ〜１０１ｃを、個別にＭＳＣ／ＶＬＲ５ａに登録することなく、一括してＭＳＣ／ＶＬＲ５ａに登録できる。よって、移動局１は、ＵＳＩＭ１０１ａ〜１０１ｃの登録に要する移動体通信網７Ａ側の処理負荷や、通信シーケンスを削減できる。
【００７４】
また、本実施形態によれば、ＭＳＣ／ＶＬＲ５ａは、グループ登録の要求を移動局１から受け付けて、ＵＳＩＭ１０１ａ〜１０１ｃをグループ登録する。ＭＳＣ／ＶＬＲ５ａは、グループ登録部によってグループ登録されたＵＳＩＭ１０１ａ〜１０１ｃのいずれかについての着信があった場合、代表ＵＳＩＭ（ＵＳＩＭ１０１ａ）に関する情報を用いて、移動局１に対する着信制御を実行する。
【００７５】
したがって、ＭＳＣ／ＶＬＲ５ａは、ＵＳＩＭ１０１ａ〜１０１ｃのうち、代表ＵＳＩＭ（ＵＳＩＭ１０１ａ）に対する着信制御のみを実行すればよく、ＵＳＩＭ１０１ａ〜１０１ｃのすべてについて着信制御を行う必要がない。このため、移動体通信網７Ａ側の処理負荷の増加を抑制できる。
【００７６】
[第２実施形態]
本実施形態では、上述した第１実施形態と異なる点を主として説明する。
【００７７】
（移動体通信システムの概略構成）
図８は、本実施形態に係る移動体通信システムの全体概略構成図である。図８に示すように、移動体通信網７Ｂは、パケットサービスノード（ＳＧＳＮ）８ａ及び８ｂを備えている点で、図１とは異なっている。つまり、本実施形態に係る移動体通信網７Ｂは、回線交換方式に加えて、パケット交換方式をサポートする。
【００７８】
（移動体通信システムの動作）
次に、図９及び図１０を参照して、本実施形態に係る移動体通信システムの動作について説明する。
【００７９】
（１）移動局及び移動体通信網の動作シーケンス（パターン１）：
図９は、移動局１及び移動体通信網７Ｂの動作シーケンスを示すシーケンス図である。ここでは、移動局２から移動局１（ＵＳＩＭ１０１ｂ）に対して発呼（回線交換呼）を行い、その後、移動局３から移動局１（ＵＳＩＭ１０１ｃ）に対して発呼（回線交換呼）を行う場合の動作について説明する。
【００８０】
ステップＳ４０１において、移動局１は、移動体通信網７Ｂ（ＭＳＣ／ＶＬＲ５ａ、ＳＧＳＮ８ａ）に位置登録要求を送信する。位置登録要求には、ＵＳＩＭ１０１ａのＩＭＳＩ（ＩＤ１）が含まれている。
【００８１】
ステップＳ４０２において、移動体通信網７Ｂ（ＭＳＣ／ＶＬＲ５ａ、ＳＧＳＮ８ａ）は、移動局１（ＵＳＩＭ１０１ａ）の位置登録を実行する。
【００８２】
ステップＳ４０３において、移動局１は、移動体通信網７Ｂ（ＭＳＣ／ＶＬＲ５ａ、ＳＧＳＮ８ａ）にＵＳＩＭ１０１ａ〜１０１ｃのグループ登録要求を送信する。
【００８３】
ステップＳ４０４において、移動体通信網７Ｂ（ＭＳＣ／ＶＬＲ５ａ、ＳＧＳＮ８ａ）は、ＵＳＩＭ１０１ａ〜１０１ｃに対して、上述したグループ登録を実行する。
【００８４】
ステップＳ４０５において、移動局２は、ＵＳＩＭ１０１ｂについての接続要求（回線交換呼）を移動体通信網７Ｂ（ＭＳＣ／ＶＬＲ５ｂ）に送信する。ＭＳＣ／ＶＬＲ５ｂは、ＮＭＳＣＰ／ＨＬＲ６に対して移動局１の位置する位置登録エリア（ＶＬＲ識別情報）を問い合せた後、接続要求（回線交換呼）をＭＳＣ／ＶＬＲ５ａに送信する。
【００８５】
ステップＳ４０６において、ＭＳＣ／ＶＬＲ５ａは、ＵＳＩＭ１０１ｂについての接続要求を、代表ＵＳＩＭ（ＵＳＩＭ１０１ａ）についての接続要求に変換する。
【００８６】
ステップＳ４０７において、移動体通信網７Ｂ（ＭＳＣ／ＶＬＲ５ａ）は、代表ＵＳＩＭ（ＵＳＩＭ１０１ａ）に対して接続要求を送信する。
【００８７】
ステップＳ４０８において、移動局１と移動局２との間で、通信（通話）を開始する。
【００８８】
ステップＳ４０９において、移動局３は、ＵＳＩＭ１０１ｃについての接続要求（回線交換呼）を移動体通信網７Ｂ（ＭＳＣ／ＶＬＲ５ｂ）に送信する。ＭＳＣ／ＶＬＲ５ｂは、ＮＭＳＣＰ／ＨＬＲ６に対して移動局１の位置する位置登録エリア（ＶＬＲ識別情報）を問い合せた後、接続要求（回線交換呼）をＭＳＣ／ＶＬＲ５ａに送信する。
【００８９】
ステップＳ４１０において、ＭＳＣ／ＶＬＲ５ａは、移動局１が通信中（通話中）であると判定し、ＵＳＩＭ１０１ｃについての接続要求（回線交換呼）を拒否する。
【００９０】
（２）移動局及び移動体通信網の動作シーケンス（パターン２）：
図１０は、移動局１及び移動体通信網７Ｂの動作シーケンスを示すシーケンス図である。ここでは、移動局２から移動局１（ＵＳＩＭ１０１ｂ）に対して発呼（回線交換呼）を行い、その後、移動局３から移動局１（ＵＳＩＭ１０１ｃ）に対して発呼（パケット交換呼）を行う場合の動作について説明する。
【００９１】
ステップＳ５０１〜ステップＳ５０８においては、図９のステップＳ４０１〜ステップＳ４０８と同様の動作シーケンスが実行される。
【００９２】
ステップＳ５０９において、移動局３は、ＵＳＩＭ１０１ｃについての接続要求（パケット交換呼）を移動体通信網７Ｂ（ＳＧＳＮ８ｂ）に送信する。ＳＧＳＮ８ｂは、ＮＭＳＣＰ／ＨＬＲ６に対して移動局１の位置する位置登録エリア（ＶＬＲ識別情報）を問い合せた後、接続要求（パケット交換換呼）をＳＧＳＮ８ａに送信する。
【００９３】
ステップＳ５１０において、ＳＧＳＮ８ａは、ＵＳＩＭ１０１ｃについての接続要求（パケット交換呼）を、代表ＵＳＩＭ（ＵＳＩＭ１０１ａ）についての接続要求（パケット交換呼）に変換する。
【００９４】
ステップＳ５１１において、移動体通信網７Ｂ（ＳＧＳＮ８ａ）は、代表ＵＳＩＭ（ＵＳＩＭ１０１ａ）に対して接続要求（パケット交換呼）を送信する。
【００９５】
（作用・効果）
本実施形態によれば、ＭＳＣ／ＶＬＲ５ａは、グループ化されたＵＳＩＭ１０１ａ〜１０１ｃのいずれかについての着信により移動局１が通信中であり、かつ、他のＵＳＩＭについての新たな着信があった場合には、新たな着信が回線交換呼であるか、あるいはパケット交換呼であるかに応じて、当該新たな着信を許可するか否か判定する。
【００９６】
したがって、新たな着信がパケット交換呼である場合には、ＵＳＩＭ１０１ａ〜１０１ｃのうち、２つのＵＳＩＭを同時に使用して通信が実現できる。
【００９７】
[その他の実施形態]
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９８】
上述した実施形態では、ＵＳＩＭ１０１ａ〜１０１ｃを装着時に、常にグループ登録を行うことを前提として説明した。しかし、ＵＳＩＭ１０１ａ〜１０１ｃのうち、一部のＵＳＩＭのみを使用する場合には、使用するＵＳＩＭを活性化（電源オン）し、使用しないＵＳＩＭを非活性化（電源オフ）してもよい。この場合、ＵＳＩＭ１０１ａ〜１０１ｃのうち、使用するＵＳＩＭを任意に選択可能となる。
【００９９】
上述した実施形態では、移動局１が３つのＵＳＩＭが装着可能であるとして説明したが、３つに限らず、移動局１が４つ以上のＵＳＩＭを装着可能であってもよい。
【０１００】
上述した実施形態では、Ｗ−ＣＤＭＡ方式を採用した移動体通信システムを例に説明したが、ＳＩＭ・ＵＳＩＭと同様のモジュールを使用する移動体通信システムであれば、Ｗ−ＣＤＭＡ方式に限定されない。
【０１０１】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１０２】
【図１】本発明の第１実施形態に係る移動体通信システムの全体概略構成図である。
【図２】図２（ａ）は、本発明の第１実施形態に係る移動局の構成を示す機能ブロック図であり、図２（ｂ）は、図２（ａ）に示す制御部の詳細構成を示す機能ブロック図である。
【図３】本発明の第１実施形態に係るＮＭＳＣＰ／ＨＬＲの構成を示す機能ブロック図である。
【図４】本発明の第１実施形態に係るＭＳＣ／ＶＬＲの構成を示す機能ブロック図である。
【図５】本発明の第１実施形態に係る移動局の動作概要を示すフローチャートである。
【図６】本発明の第１実施形態に係る移動体通信網の動作概要を示すフローチャートである。
【図７】本発明の第１実施形態に係る移動局及び移動体通信網の動作シーケンスを示すシーケンス図である。
【図８】本発明の第２実施形態に係る移動体通信システムの全体概略構成図である。
【図９】本発明の第２実施形態に係る移動局及び移動体通信網の動作シーケンス（パターン１）を示すシーケンス図である。
【図１０】本発明の第２実施形態に係る移動局及び移動体通信網の動作シーケンス（パターン２）を示すシーケンス図である。
【符号の説明】
【０１０３】
１〜３…移動局、３ａ〜３ｄ…基地局、４ａ，４ｂ…ＲＮＣ、５ａ，５ｂ…ＭＳＣ／ＶＬＲ、６…ＨＬＲ、７Ａ，７Ｂ…移動体通信網、８ａ，８ｂ…ＳＧＳＮ、１１…無線通信部、１２…操作部、１３ａ〜１３ｃ…ＳＩＭ  Ｉ／Ｆ、１４…マイク、１５…スピーカ、１６…表示部、１７…制御部、１８…記憶部、５１…通信Ｉ／Ｆ、５２…加入者情報記憶部、５３…加入者情報管理部、５４…グループ登録部、５５…接続制御部、６１…通信Ｉ／Ｆ、６２…加入者情報記憶部、６３…加入者情報管理部、１０１ａ〜１０１ｃ…ＵＳＩＭ、１７１…位置登録要求部、１７２…グループ登録要求部
【図１】
2008131469.tif 000003
【図２】
2008131469.tif 000004
【図３】
2008131469.tif 000005
【図４】
2008131469.tif 000006
【図５】
2008131469.tif 000007
【図６】
2008131469.tif 000008
【図７】
2008131469.tif 000009
【図８】
2008131469.tif 000010
【図９】
2008131469.tif 000011
【図１０】
2008131469.tif 000012